(57)【要約】【課題】幅木の支柱への設置作業をより簡単に行う。【解決手段】非固定位置にある幅木５の一端側の第１の固定用ロッド８の操作部８ｃが操作されることで第１の固定用ロッド８がほぼ９０度回動され、第１の固定用ロッド８が起立位置に設定される。次に、操作部８ｃが右方へ引かれることにより、第１の固定用ロッド８が幅木５の長手方向に移動して固定位置に設定される。このとき、第１の支柱固定部８ｄがロッド支持ガイド部９ａの切欠部９ｃ内に進入し、第１の固定用ロッド８は切欠部９ｃにより固定位置に保持される。この状態で幅木５が持ち上げられて第２の支柱固定部８ｅと水平上端部６ｂおよび第２鉛直部本体６ｅとの間が一方の支柱２に嵌合され、幅木５が支柱２に固定される。【選択図】    図５
2014040746.tif 000002
【特許請求の範囲】
【請求項１】
金属製平板を横断面略Ｌ字状に折曲して鉛直部と水平部とを有しかつ長尺状に形成され、前記鉛直部が鉛直方向または略鉛直方向に設置されるとともに前記水平部が水平方向または略水平方向に設置され、前記鉛直部が前記水平部と反対側で幅木固定手段により支柱に固定されて足場板とともに用いられる幅木において、
前記幅木固定手段は、前記鉛直部との間に前記支柱を嵌合して前記支柱に前記幅木を固定する固定位置と前記支柱に前記幅木を固定しない非固定位置との間で移動可能な固定ロッドと、前記固定ロッドを幅木の長手方向に摺動可能にかつ回動可能に支持ガイドする固定ロッド支持ガイド部を有するとともに前記鉛直部に取り付けられる取付部を有する固定ロッド支持部とを備え、
前記固定ロッド支持ガイド部に、前記固定ロッドを前記固定位置に保持する固定位置保持部が設けられていることを特徴とする幅木。
【請求項２】
前記鉛直部に、前記幅木固定手段が収容される幅木固定手段収容部が設けられ、
前記幅木固定手段収容部は前記鉛直部の前記支柱側と反対側に凹む凹部により形成され、前記幅木固定手段収容部の前記凹部の少なくとも一側の側壁は拡開する方向に傾斜する傾斜面を有するとともに、前記幅木固定手段収容部の前記凹部の深さが前記非固定位置にある前記幅木固定手段の最大高さより大きく設定されていることを特徴とする請求項１に記載の幅木。
【請求項３】
前記鉛直部に、作業者の踏込可能な領域を拡大する踏み代拡大部が設けられ、
前記踏み代拡大部は前記鉛直部に前記足場板から離れる方向に凹む凹部により形成されていることを特徴とする請求項２に記載の幅木。
【請求項４】
前記幅木固定手段収容部の前記凹部と前記踏み代拡大部の凹部との間に傾斜部が設けられ、
前記幅木固定手段収容部の前記傾斜面は前記傾斜部により形成されていることを特徴とする請求項３に記載の幅木。
【請求項５】
少なくとも長尺略矩形状の４角に配設される４本の支柱と、
前記４本の支柱のうち、長尺略矩形状の短辺側に配設された２本の支柱間および長尺略矩形状の短辺側に配設された他の２本の支柱間にそれぞれ架設される支持ブラケットと、
前記支持ブラケットに支持される長尺略矩形状の足場板と、
前記足場板の長手方向の両側縁に沿ってそれぞれ配設される幅木と、
前記幅木はいずれも請求項１ないし４のいずれか１に記載の幅木であり、
前記足場板の長手方向の両側縁に沿う前記幅木は、それぞれ、それらの前記水平部の一部が前記足場板の長手方向の対応する側縁の上面に当接されて設置されていることを特徴とする足場。
【発明の詳細な説明】
【技術分野】
【０００１】
本発明は、例えば建築現場等の高所作業現場において組み立てられるとともに作業者が作業を容易に行うために載る足場に用いられる幅木の技術分野およびこの幅木を用いた足場の技術分野に関するものである。
【背景技術】
【０００２】
例えば建築現場等の高所作業現場において作業を行うにあたり、従来、足場が組み立てられるとともに、この足場に作業者が載って作業を行っている。このような足場には、作業者が載る足場板の長手方向の両側縁に沿って幅木が設けられている。この幅木により、作業者が安全に作業を行うことができるとともに、足場板から工具等の物体が落下することが抑制できる。
【０００３】
従来の幅木として、鉛直部と水平部とからなるＬ字状の幅木が知られている（例えば、特許文献１参照）。この特許文献１に記載の幅木では、鉛直部は平板状に形成されるとともに、水平板はその大部分が平板状に形成されかつ鉛直部と反対側の側縁部が折曲されている。そして、この幅木は、鉛直部および水平部のいずれもが足場板の上面内に位置するように配設されている。その場合、幅木は、水平部の折曲部が足場板の上面に当接するとともに鉛直部が支柱にクランプされて設置される。
【０００４】
また、支柱にクランプが取り付けられるとともに、このクランプに取り付けられた外れ止めのストッパに幅木の鉛直部に設けられた係止孔が押入係止されることで、幅木が支柱に取り付けられる。
【０００５】
従来の他の幅木として、単一の帯状金属板材の上端を外側に水平に折り曲げ加工されかつ下端を内側に水平に折り曲げ加工されて横断面が略クランク形状に形成されるとともに、平板状のフックが取り付けられたスライド杆が幅木の鉛直部に幅木の長手方向に摺動可能にかつばねで幅木の端から突出する方向に付勢されて設けられ、足場板の長手方向の側縁に支持され、かつ幅木の端から突出したフックが支柱を把持することで支柱に取り付けられる幅木が知られている（例えば、特許文献２参照）。
【先行技術文献】
【特許文献】
【０００６】
【特許文献１】特許第３９８７０５５号公報。
【特許文献２】特開２０１０−２４８７２８号公報。
【発明の概要】
【発明が解決しようとする課題】
【０００７】
ところで、特許文献１に記載の幅木では、幅木の鉛直部が足場板の真上に位置するとともに単なる平板状に形成されているため、作業者が立つ領域である踏み代の幅（長手方向と直交する方向の長さ）が足場板の幅（長手方向と直交する方向の長さ）に規制されてしまう。このため、特許文献１に記載の幅木では、作業者の踏み代の幅が足場板の幅以下に限定される。このように踏み代の幅が足場板の幅以下に限定されると、作業スペースが制限されて作業者の作業がスムーズに行うことは難しく、作業効率が悪いものとなっている。
【０００８】
また、特許文献１に記載の幅木では、幅木を支柱に取り付けるにあたっては、ストッパを有するクランプを支柱に取り付けた後、このストッパに幅木の鉛直部に設けた係止孔を挿入係止する必要がある。このため、幅木の支柱への設置作業が繁雑となり作業工数が多くなるばかりでなく、長尺の幅木を持って比較的小さな係止孔をストッパに挿入しなければならないので、一人の作業者のみで設置作業を行うことは容易ではない。このため、作業効率が悪いものとなっている。
【０００９】
一方、特許文献２に記載の幅木では、特許文献１に記載の幅木の場合と同様に、幅木の鉛直部が足場板の長手方向側縁の略真上に位置するとともに単なる平板状に形成されているため、踏み代の幅が足場板の幅以下に限定されると、作業スペースが制限されて作業者の作業がスムーズに行うことは難しく、作業効率が悪いものとなっている。
【００１０】
また、特許文献２に記載の幅木では、フックを有するスライド杆がばねで幅木の端から突出する方向に付勢されるため、ばねが必要となる。このため、部品点数が多くなるとともに、幅木の鉛直部へのスライド杆の取り付け作業が煩雑となり取り付け作業効率が悪いものとなっている。しかも、平板状のフックが幅木の鉛直部から水平方向に大きく突出するため、複数枚の幅木を重ねようとすると、フックが他の幅木と干渉して嵩張るばかりでなく重ねた幅木が不安定となる。このため、複数枚の幅木をコンパクトにかつ安定して重ねて束ねることが難しく、複数枚の幅木の梱包、幅木の保管、および作業現場への幅木の運搬がいずれも効率の悪いものとなっている。
【００１１】
本発明は、このような事情に鑑みてなされたものであって、その目的は、幅木の支柱への設置作業をより簡単に行うことができる幅木およびこれを用いた足場を提供することである。
本発明の他の目的は、コンパクトにかつ安定して重ねて束ねることを可能にして梱包、保管、および運搬の効率化を図ることができる幅木およびこれを用いた足場を提供することである。
本発明の更に他の目的は、足場板の幅より踏み代の幅をより大きくして作業性を向上することができる幅木およびこれを用いた足場を提供することである。
【課題を解決するための手段】
【００１２】
前述の課題を解決するために、本発明に係る幅木は、金属製平板を横断面略Ｌ字状に折曲して鉛直部と水平部とを有しかつ長尺状に形成され、前記鉛直部が鉛直方向または略鉛直方向に設置されるとともに前記水平部が水平方向または略水平方向に設置され、前記鉛直部が前記水平部と反対側で幅木固定手段により支柱に固定されて足場板とともに用いられる幅木において、前記幅木固定手段が、前記鉛直部との間に前記支柱を嵌合して前記支柱に前記幅木を固定する固定位置と前記支柱に前記幅木を固定しない非固定位置との間で移動可能な固定ロッドと、前記固定ロッドを幅木の長手方向に摺動可能にかつ回動可能に支持ガイドする固定ロッド支持ガイド部を有するとともに前記鉛直部に取り付けられる取付部を有する固定ロッド支持部とを備え、前記固定ロッド支持ガイド部に、前記固定ロッドを前記固定位置に保持する固定位置保持部が設けられていることを特徴としている。
【００１３】
また、本発明に係る幅木は、前記鉛直部に、前記幅木固定手段が収容される幅木固定手段収容部が設けられ、前記幅木固定手段収容部が前記鉛直部の前記支柱側と反対側に凹む凹部により形成され、前記幅木固定手段収容部の前記凹部の少なくとも一側の側壁は拡開する方向に傾斜する傾斜面を有するとともに、前記幅木固定手段収容部の前記凹部の深さが前記非固定位置にある前記幅木固定手段の最大高さより大きく設定されていることを特徴としている。
【００１４】
更に、本発明に係る幅木は、前記鉛直部に、作業者の踏込可能な領域を拡大する踏み代拡大部が設けられ、前記踏み代拡大部が前記鉛直部に前記足場板から離れる方向に凹む凹部により形成されていることを特徴としている。
【００１５】
更に、本発明に係る幅木は、前記幅木固定手段収容部の前記凹部と前記踏み代拡大部の凹部との間に傾斜部が設けられ、前記幅木固定手段収容部の前記傾斜面が前記傾斜部により形成されていることを特徴としている。
【００１６】
一方、本発明に係る足場は、少なくとも長尺略矩形状の４角に配設される４本の支柱と、前記４本の支柱のうち、長尺略矩形状の短辺側に配設された２本の支柱間および長尺略矩形状の短辺側に配設された他の２本の支柱間にそれぞれ架設される支持ブラケットと、前記支持ブラケットに支持される長尺略矩形状の足場板と、前記足場板の長手方向の両側縁に沿ってそれぞれ配設される幅木と、前記幅木がいずれも前述の本発明の幅木のいずれか１つの幅木であり、前記足場板の長手方向の両側縁に沿う前記幅木が、それぞれ、それらの前記水平部の一部が前記足場板の長手方向の対応する側縁の上面に当接されて設置されていることを特徴としている。
【発明の効果】
【００１７】
このように構成された本発明に係る幅木によれば、固定用ロッドを固定位置に保持する固定位置保持部が設けられる。これにより、幅木の支柱への設置時に固定位置保持部により固定用ロッドを固定位置に保持した状態で幅木の支柱への設置作業を行うことが可能となる。したがって、幅木の設置作業が簡単になり、一人の作業者で幅木を支柱および支持ブラケットに容易に設置することができるようになる。しかも、特許文献２に記載の幅木のようにフックを有するスライド杆を付勢するばね等の特別な部品を不要にでき、部品点数を削減できるとともに幅木の組み立て作業が簡単になる。
【００１８】
更に、本発明に係る幅木は、鉛直部に設けられて幅木固定手段を収容する幅木固定手段収容部を有する。そして、幅木固定手段収容部が鉛直部の支柱側と反対側に凹む凹部により形成され、幅木固定手段収容部の凹部の少なくとも一側の側壁が拡開する方向に傾斜する傾斜面を有するとともに、幅木固定手段収容部の凹部の深さが非固定位置にある幅木固定手段の最大高さより大きく設定される。これにより、幅木固定手段を非固定位置にした状態で幅木固定手段収容部内に完全に収容させることが可能となる。したがって、本発明の幅木を複数枚重ねても、１枚目の幅木の幅木固定手段収容部内に、隣接する次の２枚目の幅木の鉛直部の幅木固定手段収容部を進入させることができる。以下、３枚目以降の幅木の鉛直部の幅木固定手段収容部も順次それより前の幅木の幅木固定手段収容部内に進入させることができる。その結果、複数枚の幅木をコンパクトにかつ安定した状態でテープ等の緊締具で束ねることが可能となり、幅木の梱包、保管、および運搬の効率化を効果的に図ることが可能となる。
【００１９】
更に、作業者の踏込可能な領域を拡大する踏み代拡大部が幅木の鉛直部に設けられる。その場合、踏み代拡大部は鉛直部に足場板から離れる方向に凹む凹部により形成される。この踏み代拡大部により、足場の踏み代を足場板の幅より効果的に増大させることが可能となる。
【００２０】
一方、本発明の足場によれば、本発明の幅木を用いているので設置作業が効率よく行うことができるとともに足場の踏み代が増大するので、高所作業等の足場を用いた作業の作業性を効果的に向上させることが可能となる。
【図面の簡単な説明】
【００２１】
【図１】（ａ）は、本発明にかかる幅木の実施の形態の一例を用いた足場の一例を模式的にかつ部分的に示す正面図、（ｂ）は（ａ）における部分平面図である。
【図２】（ａ）は、本発明にかかる幅木の実施の形態の一例を部分的に示す正面図、（ｂ）は（ａ）における部分平面図、（ｃ）は（ａ）における右側面図である。
【図３】（ａ）は幅木固定手段を示す正面図、（ｂ）は（ａ）における左側面図、（ｃ）は（ａ）における右側面図である。
【図４】（ａ）は幅木固定手段の作動を説明する部分正面図、（ｂ）は（ａ）における左側面図である。
【図５】（ａ）は幅木固定手段の非固定位置にある状態を示す正面図、（ｂ）は（ａ）における左側面図、（ｃ）は幅木固定手段の非固定位置から固定位置への設定動作の途中の状態を示す正面図、（ｄ）は（ｃ）における左側面図、（ｅ）は幅木固定手段の固定位置に設定された状態を示す正面図、（ｆ）は（ｅ）における左側面図である。
【図６】互いに長手方向に隣接する２枚の幅木の支柱への設置状態を部分的に示す図である。
【図７】（ａ）は複数枚の幅木を重ねて緊締具で束ねた状態を示す正面図、（ｂ）は（ａ）における平面図（上面図）、（ｃ）は（ａ）における右側面図である。
【図８】（ａ）は本発明の足場の実施の形態の他の例を示す正面図、（ｂ）は（ａ）における部分平面図である。
【発明を実施するための形態】
【００２２】
以下、図面を用いて本発明を実施するための形態について説明する。
図１（ａ）は、本発明にかかる幅木の実施の形態の一例を用いた足場の一例を模式的にかつ部分的に示す正面図、図１（ｂ）は図１（ａ）における部分平面図、図２（ａ）は、本発明にかかる幅木の実施の形態の一例を部分的に示す正面図、図２（ｂ）は図２（ａ）における部分平面図、図２（ｃ）は図２（ａ）における右側面図である。
【００２３】
図１（ａ）および（ｂ）に示すように、この例の足場１は、少なくとも長尺略矩形状の４角に配設されるとともに鉛直方向に設置された公知の所定数（少なくとも、４本）の支柱２、長尺略矩形状の短辺側に対向して配設される一対の支柱２,２間に架設された横材である公知の支持ブラケット３、支持ブラケット３に支持された長尺略矩形状の公知の足場板４、および足場板４の各両側縁部４ａ,４ａとこれらの側縁部４ａ,４ａにそれぞれ対応する支柱２,２との間に足場板４の長手方向に沿って配設されてこの足場板４とともに用いられるこの例の一対の幅木５,５を備える。
【００２４】
図２（ａ）ないし（ｃ）に示すように、幅木５は１枚の鋼板あるいは高張力鋼板等の金属製帯状平板をプレス加工等により横断面略Ｌ字状に折曲して鉛直部６と水平部７とを有しかつ長尺状に形成されている。その場合、一対の幅木５,５は、それぞれそれらの水平部７,７が水平方向または略水平方向に互いに対向しかつ鉛直部６が鉛直方向上方または略鉛直方向上方に向くように設置される。
【００２５】
鉛直部６は、その長手方向の長さが水平部７の長手方向の長さより長く形成されている。これにより、鉛直部６の長手方向両端部は水平部７が存在しなく鉛直部６のみとなっている。その場合、水平部７が存在しない鉛直部６の下端部は略１８０度に折り曲げられて折曲部６ａとされている。これにより、水平部７が存在しない鉛直部６の下端は湾曲したＲ部となっている。
【００２６】
この鉛直部６は、上端部に略Ｌ字状に折曲されて水平方向または略水平方向に延設された水平上端部６ｂ、この水平上端部６ｂの一方の側縁に連続して鉛直方向下方または略鉛直方向下方に延設された第１鉛直部本体６ｃ、第１鉛直部本体６ｃの下端に連続して鉛直方向下方にかつ水平方向で水平上端部６ｂの延設側に傾斜する傾斜面を有する傾斜部６ｄ、傾斜部６ｄの下端に連続して鉛直方向下方にまたは略鉛直方向下方に延設された第２鉛直部本体６ｅを有している。
【００２７】
そして、水平上端部６ｂと第１鉛直部本体６ｃと傾斜部６ｄとにより、第１鉛直部本体６ｃの水平上端部６ｂ側（つまり、支柱２側と反対側）に凹部からなる固定用ロッド収容部６ｆ（本発明の幅木固定手段収容部に相当）が形成されている。また、傾斜部６ｄと第２鉛直部本体６ｅと水平部７とにより、第１鉛直部本体６ｃの水平部７側に足場板４から離れる方向に凹む凹部からなる踏み代拡大部６ｇが水平部７に隣接して形成される。したがって、傾斜部６ｄが固定用ロッド収容部６ｆと踏み代拡大部６ｇとの間に設けられる。この踏み代拡大部６ｇにより、足場１における作業者の踏込可能な領域が拡大される。
【００２８】
水平部７は、鉛直部６の第２鉛直部本体６ｅの下端に連続して略水平方向に折曲されて設けられている。その場合、鉛直部６と水平部７との折曲部の端は湾曲したＲ部とされているとともに前述の鉛直部６の折曲部６ａの下端と同一直線上に位置している。この水平部７は水平部７の長手方向の第１および第２の折れ線７ａ,７ｂに沿ってそれぞれへ字状（山形状）に小さい折曲角度で折曲されている。水平部７はこのように折曲されることで水平部７の強度が高められている。この水平部７は作業者に踏まれる部分である。また、第２の折れ線７ｂに沿って折曲されることで、幅木５の設置状態で水平部７の鉛直部６と反対側の側縁７ｃが足場板４の上面４ｂに安定してほぼ密着されるとともに水平部７と足場板４との間に生じる段差がほとんど生じないようになる。これにより、足場板４の上面４ｂおよび水平部７の上面７ｄに立って作業する作業者が水平部７の側縁７ｃにつまづくことが抑制され、作業者は作業を容易にかつ安定して行うことが可能となる。
【００２９】
また、水平部７は、長手方向の両端部で側縁７ｃ側に形成された第１および第２の切り欠き７ｅ,７ｆを有する。図１（ｂ）に示すように、これらの第１および第２の切り欠き７ｅ,７ｆは、各水平部７,７の足場板４への設置時に、足場板４に設けられかつ支持ブラケット３に設けられたボックス状でかつ截頭四角錐台形状の一対の支持部３ａ,３ａにそれぞれ嵌合支持された公知の截頭四角錐台形状の一対の固定くさび４ｃ,４ｃに干渉するのを防止する。これにより、幅木５の水平部７の側縁７ｃが足場板４の上面４ｂに更に効果的に安定してほぼ密着される
【００３０】
図２（ａ）ないし（ｃ）、図３（ａ）ないし（ｃ）に示すように、幅木５は、その長手方向の一端５ａ側に配設された第１の固定用ロッド８（本発明の固定ロッドに相当）および第１のロッド支持ブラケット９（本発明の固定ロッド支持部に相当）を有している。第１の固定用ロッド８および第１のロッド支持ブラケット９は、本発明の幅木固定手段を構成している。第１の固定用ロッド８は細長い金属製のロッドから折曲されて形成されている。これにより、第１の固定用ロッド８には、摺動被支持部８ａ、固定部８ｂ、および操作部８ｃが設けられている。
【００３１】
摺動被支持部８ａは幅木５の長手方向に摺動可能にかつ摺動被支持部８ａの中心軸線まわりに回動可能に配設されている。また、固定部８ｂは、摺動被支持部８ａの一端から直角またはほぼ直角に折曲された第１の支柱固定部８ｄと、この第１の支柱固定部８ｄから直角またはほぼ直角に折曲されて摺動被支持部８ａと平行または略平行に延設された第２の支柱固定部８ｅとを有する。第２の支柱固定部８ｅの先端部には、先端に向かって拡開するように傾斜する傾斜面で形成されたガイド面８ｆが形成されている。更に、操作部８ｃは、摺動被支持部８ａの他端から所定の角度（図示例では、直角またはほぼ直角）に折曲されて形成されている。その場合、摺動被支持部８ａ、固定部８ｂ、および操作部８ｃは、同一平面内または略同一平面内に配置される。そして、第１の固定用ロッド８は、幅木５の設置時に対応する支柱２を第１および第２の支柱固定部８ｄ,８ｅにより把持してこの幅木５を支柱２に固定する。
【００３２】
第１のロッド支持ブラケット９は略半円筒状のロッド支持ガイド部９ａ（本発明の固定ロッド支持ガイド部に相当）と取付部９ｂとを有する。ロッド支持ガイド部９ａはその内周面で、第１鉛直部本体６ｃの第１のロッド支持ブラケット９設置側面と協働して第１の固定用ロッド８の摺動被支持部８ａを幅木５の長手方向（図２（ａ）および図３（ａ）において左右方向）に摺動可能にかつ摺動被支持部８ａの中心軸線まわりに回動可能に支持して第１の固定用ロッド８をガイドする。また、取付部９ｂは、第１鉛直部本体６ｃの水平上端部６ｂ側にねじあるいはボルト等の固着具１０により固定されてこのロッド支持ガイド部９ａを第１鉛直部本体６ｃに取り付ける。第１のロッド支持ブラケット９が鉛直部６に取り付けられた状態では、ロッド支持ガイド部９ａの長手方向が幅木５の長手方向と平行または略平行にされる。
【００３３】
図３（ａ）、図４（ａ）および（ｂ）に示すように、第１のロッド支持ブラケット９のロッド支持ガイド部９ａは、鉛直部６の長手方向一端側のロッド支持ガイド部９ａの端部の上部に設けられて切欠部９ｃを有する。
【００３４】
図３（ｂ）および（ｃ）に示すように、第１の固定用ロッド８および第１のロッド支持ブラケット９において、固定部８ｂおよび操作部８ｃが第１鉛直部本体６ｃの水平上端部６ｂ側に当接した状態では、第１の固定用ロッド８および第１のロッド支持ブラケット９は固定用ロッド収容部６ｆ内に完全に収容されるようになっている。すなわち、固定用ロッド収容部６ｆの深さＤ（ｍｍ）は、固定部８ｂおよび操作部８ｃが第１鉛直部本体６ｃの水平上端部６ｂ側に当接した状態（つまり、第１の固定用ロッド８の非固定位置）での第１の固定用ロッド８および第１のロッド支持ブラケット９の最大高さＨ（ｍｍ）より大きく設定されている（Ｄ＞Ｈ）。
【００３５】
第１の固定用ロッド８は、図３（ａ）ないし（ｃ）に実線で示す非固定位置と図３（ａ）ないし（ｃ）に二点鎖線で示す固定位置との間で移動可能に設けられる。第１の固定用ロッド８の非固定位置は、固定部８ｂおよび操作部８ｃが第１鉛直部本体６ｃの水平上端部６ｂ側に当接またはほぼ当接した位置である。一方、第１の固定用ロッド８の固定位置は、図４（ａ）に実線で示すように非固定位置から略９０度回転した後、第１の支柱固定部８ｄが幅木５の長手方向に摺動してロッド支持ガイド部９ａの切欠部９ｃ内に進入し、第１の支柱固定部８ｄがロッド支持ガイド部９ａの切欠部９ｃにおける端９ｄに当接した位置である。第１の固定用ロッド８の固定位置では、第１の支柱固定部８ｄがロッド支持ガイド部９ａの切欠部９ｃにおける両側縁９ｅ,９ｆに当接する。これにより、第１の固定用ロッド８は固定位置に保持される。したがって、切欠部９ｃは第１の固定用ロッド８の固定位置保持部を構成している。そして、第１の固定用ロッド８は幅木５の非設置（非使用）時に非固定位置に設定されるとともに、幅木５の設置（使用）時に固定位置に設定される。
【００３６】
更に図２（ａ）ないし（ｃ）に示すように、幅木５は、その長手方向の他端５ｂ側に配設された第２の固定用ロッド１１および第２のロッド支持ブラケット１２を有している。第２の固定用ロッド１１は第１の固定用ロッド８と同様に細長い金属製のロッドから折曲されて形成されている。これにより、第２の固定用ロッド１１には、摺動被支持部１１ａ、固定部１１ｂ、および操作部１１ｃが設けられている。
【００３７】
摺動被支持部１１ａは幅木５の長手方向に摺動可能にかつ摺動被支持部１１ａの中心軸線まわりに回動可能に配設されている。また、固定部１１ｂは、摺動被支持部１１ａの一端から直角またはほぼ直角に折曲された第１の支柱固定部１１ｄと、この第１の支柱固定部１１ｄから直角またはほぼ直角に折曲されて摺動被支持部１１ａと平行または略平行に延設された第２の支柱固定部１１ｅとを有する。第２の支柱固定部１１ｅの先端部には、先端に向かって拡開するように傾斜する傾斜面で形成されたガイド面１１ｆが形成されている。更に、操作部１１ｃは、摺動被支持部１１ａの他端から所定の角度（図示例では、直角またはほぼ直角）に折曲されて形成されている。その場合、摺動被支持部１１ａ、固定部１１ｂ、および操作部１１ｃは、同一平面内または略同一平面内に配置される。そして、第２の固定用ロッド１１は、幅木５の設置時に対応する支柱２（第１の固定用ロッド８により幅木５が固定される支柱１１と幅木５の長手方向に隣接する支柱２）を第１および第２の支柱固定部１１ｄ,１１ｅにより把持して幅木５をこの支柱２に固定する。
【００３８】
第２のロッド支持ブラケット１２はロッド支持ガイド部１２ａと取付部１２ｂとを有する。ロッド支持ガイド部１２ａは、第２の固定用ロッド１１の摺動被支持部１１ａを幅木５の長手方向（図２（ａ）および図３（ａ）において左右方向）に摺動可能にかつ摺動被支持部１１ａの中心軸線まわりに回動可能に支持して第２の固定用ロッド１１をガイドする。また、取付部１１ｂは、第１鉛直部本体６ｃの水平上端部６ｂ側にねじあるいはボルト等の固着具１３により固定されてロッド支持ガイド部１２ａを第１鉛直部本体６ｃに取り付ける。第２のロッド支持ブラケット１２が鉛直部６に取り付けられた状態では、ロッド支持ガイド部１２ａの長手方向が幅木５の長手方向と平行または略平行にされる。第２のロッド支持ブラケット１２のロッド支持ガイド部１２ａには、第１のロッド支持ブラケット９の切欠部９ｃと同様の切欠部は設けられていない。したがって、第２のロッド支持ブラケット１２のロッド支持ガイド部１２ａの長手方向の長さは、第１のロッド支持ブラケット９のロッド支持ガイド部９ａの長手方向の長さより、切欠部が設けられない分短くなっている。第１の固定用ロッド８と第２の固定用ロッド１１との他の構成は互いに同じである。
【００３９】
図示しないが、第１の固定用ロッド８および第１のロッド支持ブラケット９の場合と同様に、第２の固定用ロッド１１および第２のロッド支持ブラケット１２において、固定部１１ｂおよび操作部１１ｃが第１鉛直部本体６ｃの水平上端部６ｂ側に当接した状態では、第２の固定用ロッド１１および第２のロッド支持ブラケット１２は固定用ロッド収容部６ｆ内に完全に収容されるようになっている。すなわち、固定用ロッド収容部６ｆの深さＤ（ｍｍ）は、固定部１１ｂおよび操作部１１ｃが第１鉛直部本体６ｃの水平上端部６ｂ側に当接した状態での第２の固定用ロッド１１および第２のロッド支持ブラケット１２の最大高さＨ（ｍｍ）より大きく設定されている（Ｄ＞Ｈ）。なお、第２の固定用ロッド１１および第２のロッド支持ブラケット１２の最大高さＨ（ｍｍ）は図示されないが、説明の便宜上、第１の固定用ロッド８および第１のロッド支持ブラケット９の最大高さＨ（ｍｍ）と同じＨを用いる。
【００４０】
第２の固定用ロッド１１も、第１の固定用ロッド８と同様に図２（ｃ）に二点鎖線で示す非固定位置と同図に実線で示す固定位置とが設定されている。その場合、第２の固定用ロッド１１の非固定位置および固定位置は、第１の固定用ロッド８の非固定位置および固定位置と同じように設定されている。しかし、ロッド支持ガイド部１２ａがロッド支持ガイド部９ａの切欠部９ｃと同様の切欠部を有していないので、第２の固定用ロッド１１はロッド支持ガイド部１２ａのみでは固定位置に保持された状態にはされない。そして、第２の固定用ロッド１１は、第１の固定用ロッド８と同様に、幅木５の非設置（非使用）時に非固定位置に設定されるとともに、幅木５の設置（使用）時に固定位置に設定される。
【００４１】
この例の足場１においては、足場板４の幅（長手方向に直交する方向の長さ）Ｗ１（ｍｍ）は対向する一対の支柱２,２間の距離Ｌ（ｍｍ）より短く設定されている。そこで、一対の幅木５,５が前述のように設置されることで足場１における作業者の踏み代が増大されている。特に、図１（ｂ）に示すように幅木５に踏み代拡大部６ｇが設けられることで、足場１の踏み代Ｗ２（ｍｍ）が足場板４の幅Ｗ１（ｍｍ）より効果的に増大される。
【００４２】
次に、このように構成されたこの例の幅木５の設置作業について説明する。
まず図５（ａ）および（ｂ）に実線で示す非固定位置にある幅木５の一端側の第１の固定用ロッド８の操作部８ｃが１人の作業者により操作されることで第１の固定用ロッド８がほぼ９０度回動され、第１の固定用ロッド８は図５（ｃ）および（ｄ）に実線で示す起立位置に設定される。次に、操作部８ｃが作業者により幅木５の長手方向中央の方（図５（ｅ）において右方）へ引かれることにより、第１の固定用ロッド８は幅木５の長手方向に移動して図５（ｅ）および（ｆ）に実線で示す固定位置に設定される。このとき、第１の支柱固定部８ｄがロッド支持ガイド部９ａの切欠部９ｃ内に進入し、前述のように第１の固定用ロッド８は固定位置に保持される。
【００４３】
次に、このように第１の固定用ロッド８が固定位置に保持された状態で、作業者により幅木５が持ち上げられて第２の支柱固定部８ｅと水平上端部６ｂおよび第２鉛直部本体６ｅとの間が一方の支柱２に嵌合される。このとき、第２の支柱固定部８ｅの先端にガイド面８ｆが形成されているので、支柱２を第２の支柱固定部８ｅと水平上端部６ｂおよび第２鉛直部本体６ｅとの間に比較的スムーズに嵌合させることが可能となる。
【００４４】
また、第１の固定用ロッド８の第１の支柱固定部８ｄがロッド支持ガイド部９ａの切欠部９ｃにおける端９ｄに当接しているので、第１の固定用ロッド８が幅木５の長手方向に移動することはない。こうして、一方の支柱２が第２の支柱固定部８ｅと水平上端部６ｂおよび第２鉛直部本体６ｅとの間に嵌合されて把持される。こうして、幅木５の鉛直部６が水平部７と反対側で第１の固定用ロッド８により固定される。
【００４５】
次に、幅木５はこの状態が保持された状態で、作業者により第２の固定用ロッド１１が略９０度回動されて固定位置に設定される。そして、作業者により第２の固定用ロッド１１が固定位置に保持された状態で、第２の支柱固定部１１ｅと水平上端部６ｂおよび第２鉛直部本体６ｅとの間が他方の支柱２に嵌合される。そして、幅木５は、図１（ｂ）に示すように鉛直部６の下端の折曲部６ａが支持ブラケット３に当接されるとともに、水平部７の側縁７ｃが足場板４の上面４ｂに当接される。こうして、幅木５が一対の支柱２,２および支持ブラケット３に設置される。
【００４６】
次に、一対の支柱２,２に設置された幅木５に幅木５の長手方向に隣接して他の幅木５を設置する場合には、図６に示すように既に設置された幅木５の水平上端部６ｂの下に他の幅木５の水平上端部６ｂが位置される。すなわち、既に設置された幅木５の水平部７が存在しない鉛直部６に、他の幅木５の水平部７が存在しない鉛直部６の一部が重ね合わされる。そして、前述と同様に他の幅木５が第２の固定用ロッド１１により支柱２に固定されて設置される。
【００４７】
このように構成されたこの例の幅木５によれば、第１鉛直部本体６ｃの水平部７側に凹部からなる踏み代拡大部６ｇが形成される。この踏み代拡大部６ｇにより、足場１の踏み代Ｗ２（ｍｍ）を足場板４の幅Ｗ１（ｍｍ）より効果的に増大させることが可能となる。れる。
【００４８】
また、ロッド支持ガイド部９ａの切欠部９ｃで形成されて第１の固定用ロッド８を固定位置に保持する固定位置保持部が設けられている。これにより、幅木５の支柱２への設置時に固定位置保持部により第１の固定用ロッド８を固定位置に保持した状態で幅木５の支柱２への設置作業を行うことが可能となる。したがって、幅木５の設置作業が簡単になり、ロッド支持ガイド部９ａに切欠部９ｃを単に設けるだけという簡単な構成で、一人の作業者により幅木５を支柱２および支持ブラケット３に容易に設置することができるようになる。しかも、特許文献２に記載の幅木のようにフックを有するスライド杆を付勢するばね等の特別な部品を不要にでき、部品点数を削減できるとともに幅木の組み立て作業が簡単になる。
【００４９】
更に、第１の固定用ロッド８および第１のロッド支持ブラケット９を収容する固定用ロッド収容部６ｆが第１鉛直部本体６ｃに設けられている。その場合、固定用ロッド収容部６ｆの深さＤ（ｍｍ）が、固定部８ｂおよび操作部８ｃが第１鉛直部本体６ｃの水平上端部６ｂ側に当接した状態での第１の固定用ロッド８および第１のロッド支持ブラケット９の最大高さＨ（ｍｍ）より大きく設定されている（Ｄ＞Ｈ）。これにより、固定部８ｂおよび操作部８ｃが第１鉛直部本体６ｃの水平上端部６ｂ側に当接した状態で、第１の固定用ロッド８および第１のロッド支持ブラケット９を固定用ロッド収容部６ｆ内に完全に収容させることが可能となる。また、第１鉛直部本体６ｃの下端側に傾斜部６ｄが設けられている。したがって、固定用ロッド収容部６ｆを構成する凹部の水平上端部６ｂと反対側の側面を傾斜部６ｄの傾斜面とすることができる。そして、固定用ロッド収容部６ｆの深さＤ（ｍｍ）と前述の最大高さＨ（ｍｍ）との関係、および固定用ロッド収容部６ｆを構成する凹部における傾斜部６ｄの傾斜面とにより、図７（ａ）ないし（ｃ）に示すようにこの例の幅木５を複数枚（図示例では５枚）重ねても、１枚目の幅木５の固定用ロッド収容部６ｆ内に、次の２枚目の幅木５の第１鉛直部本体６ｃを進入させることができる。以下、３枚目以降の幅木５の第１鉛直部本体６ｃも順次それより前の幅木５の固定用ロッド収容部６ｆ内に進入させることができる。その場合、隣接する幅木５の水平上端部６ｂどうしが面接触するとともに、隣接する幅木５の傾斜部６ｄの傾斜面どうしが面接触する。これにより、複数枚の幅木５をコンパクトにかつ安定した状態でテープ等の緊締具１４で束ねることが可能となる。したがって、幅木５の梱包、保管、および運搬の効率化を効果的に図ることが可能となる。
【００５０】
一方、この例の足場１によれば、前述の例の幅木５を用いているので設置作業が効率よく行うことができるとともに足場の踏み代が増大するので、高所作業等の足場を用いた作業の作業性を効果的に向上させることが可能となる。
【００５１】
図８（ａ）は本発明の足場の実施の形態の他の例を示す、図１（ａ）と同様の正面図、図８（ｂ）は図８（ａ）における、図１（ａ）と同様の部分平面図である。
前述の例の足場１では、足場板４を支持ブラケット３に支持するために足場板４に固定くさび４ｃ,４ｃが設けられているが、図８（ａ）および（ｂ）に示すように、この例の足場１ではくさび４ｃ,４ｃに代えて、足場板４に一対の公知の略Ｃ字状のフック４ｄ,４ｄが設けられている。そして、これらのフック４ｄ,４ｄがともに支持ブラケット３に上方から掛けられて足場板４が支持ブラケット３に支持される。
【００５２】
ところで、このような略Ｃ字状のフック４ｄ,４ｄは足場板４を鉛直方向には確実に支持ブラケット３に支持するが、支持ブラケット３の長手方向には摺動し易い。また、支柱２が足場板４の長手方向の一側縁側のみに配設されて足場板４の長手方向の他側縁側には配設されない状態で、足場１が組み立てられて使用される場合がある。このような場合、フック４ｄ,４ｄが支持ブラケット３を支柱２が配設されない方向に摺動して、足場板４が支持ブラケット３から脱落することがある。このため、図８（ａ）および（ｂ）に示すように従来からストッパ３ｂが支持ブラケット３に設けられ、足場板４が支持ブラケット３から脱落するのを防止している。これにより、フック４ｄ,４ｄが支持ブラケット３を摺動しても、フック４ｄ,４ｄはこのストッパ３ｂに当接してそれ以上の摺動が阻止される。
【００５３】
本発明の幅木５がこのような支持ブラケット３を備える足場１に適用された場合、ストッパ３ｂが幅木５に干渉することが考えられる。そこで、図８（ａ）に示すようにこの例の幅木５では、ストッパ３ｂが踏み代拡大部６ｇ内に収容可能になっている。したがって、本発明の幅木５がストッパ３ｂを有する支持ブラケット３を備える足場１に適用された場合、ストッパ３ｂが幅木５に干渉することが防止される。すなわち、踏み代拡大部６ｇは、ストッパ３ｂが幅木５に干渉することを防止するストッパ干渉防止部をも構成している。これにより、幅木５を安定してより確実に設置可能となる。
【００５４】
なお、前述の例では幅木５の鉛直部６の上端部が水平方向または略水平方向に延設された水平上端部６ｂとされているが、鉛直部６の上端部は傾斜部６ｄと逆方向に傾斜する傾斜部にして、固定用ロッド収容部６ｆが拡開するようにすることもできる。要するに、本発明の幅木は、特許請求の範囲に記載された事項の範囲内で種々設計変更可能である。
【産業上の利用可能性】
【００５５】
本発明の幅木および足場は、それぞれ、例えば建築現場等の高所作業現場において組み立てられるとともに作業者が作業を容易に行うために載る足場に用いられる幅木および足場に好適に利用することができる。
【符号の説明】
【００５６】
１…足場、２…支柱、３…支持ブラケット、３ａ…支持部、４…足場板、４ａ…側縁部、４ｂ…上面、４ｃ…固定くさび、５…幅木、５ａ…長手方向の一端、６…鉛直部、６ａ…折曲部、６ｂ…水平上端部、６ｃ…第１鉛直部本体、６ｄ…傾斜部、６ｅ…第２鉛直部本体、６ｆ…固定用ロッド収容部、６ｇ…踏み代拡大部、７…水平部、８…第１の固定用ロッド、８ａ…摺動被支持部、８ｂ…固定部、８ｃ…操作部、８ｄ…第１の支柱固定部、８ｅ…第２の支柱固定部、８ｆ…ガイド面、９…第１のロッド支持ブラケット、９ａ…ロッド支持ガイド部、９ｂ…取付部、９ｃ…切欠部、９ｄ…端、９ｅ,９ｆ…側縁、１０…固着具、１１…第２の固定用ロッド、１１ａ…摺動被支持部、１１ｂ…固定部、１１ｃ…操作部、１１ｄ…第１の支柱固定部、１１ｅ…第２の支柱固定部、１１ｆ…ガイド面、１２…第２のロッド支持ブラケット、１２ａ…ロッド支持ガイド部、１２ｂ…取付部、１３…固着具、１４…緊締具
【図１】
2014040746.tif 000003
【図２】
2014040746.tif 000004
【図３】
2014040746.tif 000005
【図４】
2014040746.tif 000006
【図５】
2014040746.tif 000007
【図６】
2014040746.tif 000008
【図７】
2014040746.tif 000009
【図８】
2014040746.tif 000010
【手続補正書】
【提出日】平成24年9月10日(2012.9.10)
【手続補正１】
【補正対象書類名】図面
【補正対象項目名】全図
【補正方法】変更
【補正の内容】
【図１】
2014040746.tif 000011
【図２】
2014040746.tif 000012
【図３】
2014040746.tif 000013
【図４】
2014040746.tif 000014
【図５】
2014040746.tif 000015
【図６】
2014040746.tif 000016
【図７】
2014040746.tif 000017
【図８】
2014040746.tif 000018